(57)【要約】      （修正有）【課題】コンパクトな紙葉類帯封装置を提供する。【解決手段】札束の帯封後、帯封紙２を切断したら、テープピンチローラ１８及びテープ駆動ローラをそれぞれ回転させることにより、帯封紙２の先端を送り機構部５まで戻す。これと同時に、回転盤４を矢印Ｆの方向に回転させることにより、回転盤４とロール３との間の摩擦力によってロール３が矢印Ｅ２の方向に回転し、帯封紙２がロール３に巻き戻される。この際、ロール３が回転盤４に対して滑る程度の大きい回転速度で瞬間的に回転盤４を回転させる。【選択図】図１
2010247865.tif 000002
【特許請求の範囲】
【請求項１】
複数枚の紙葉類からなる束又は複数枚の紙葉類からなる束に帯封したものを複数重ねた大束に帯封紙を巻きつけて帯封を施す紙葉類帯封装置であって、
前記帯封紙が巻かれて形成されたロールと、
前記帯封紙の先端を前記束に向けて送る送り機構部と
を備え、
前記束又は前記大束の帯封終了後、前記送り機構部が前記帯封紙の先端を戻すと同時に、前記ロールを巻き戻し方向に回転させる紙葉類帯封装置。
【請求項２】
前記ローラを載置しながら回転可能な回転盤をさらに備え、
前記ローラが前記回転盤上で滑る回転速度で該回転盤が回転する、請求項１に記載の紙葉類帯封装置。
【発明の詳細な説明】
【技術分野】
【０００１】
この発明は紙葉類帯封装置に係り、特に、複数枚の紙葉類を重ねた束に自動的に帯封を施す紙葉類帯封装置に関する。
【背景技術】
【０００２】
従来の紙葉類帯封装置が、例えば特許文献１に記載されている。この紙葉類帯封装置は、紙葉類である紙幣を複数枚重ねて構成された札束を帯封部に置き、札束に帯封紙を巻くことにより帯封を施す装置である。このような従来の紙葉類帯封装置では、帯封紙搭載部に帯封紙のロールをセットし、帯封紙の先端部分をローラで搬送して、札束に帯封紙が巻かれる。札束に帯封紙が巻かれた後は、ローラから帯封部まで延びた帯封紙をローラが巻き戻すことにより、次の帯封動作に備える。ローラが帯封紙を巻き戻すと、ローラから帯封紙のロールまでの間で、帯封紙が弛んだ状態となる。
【先行技術文献】
【特許文献】
【０００３】
【特許文献１】特開２００７−３０２３０４号公報
【発明の概要】
【発明が解決しようとする課題】
【０００４】
このような従来の紙葉類帯封装置では、内部で帯封紙が弛んだ状態となることにより、帯封紙が弛んだ状態でいられるようなスペースを確保したり、弛んだ帯封紙が捩じれないようにするためのガイド部を設けたりする必要があるため、その分だけ装置が大型化してしまうといった問題点があった。
【０００５】
この発明はこのような問題点を解決するためになされたもので、コンパクトな紙葉類帯封装置を提供することを目的とする。
【課題を解決するための手段】
【０００６】
この発明に係る紙葉類帯封装置は、複数枚の紙葉類からなる束又は複数枚の紙葉類からなる束に帯封したものを複数重ねた大束に帯封紙を巻きつけて帯封を施す紙葉類帯封装置であって、前記帯封紙が巻かれて形成されたロールと、前記帯封紙の先端を前記束に向けて送る送り機構部とを備え、前記束又は前記大束の帯封終了後、前記送り機構部が前記帯封紙の先端を戻すと同時に、前記ロールを巻き戻し方向に回転させる。
前記ローラを載置しながら回転可能な回転盤をさらに備え、前記ローラが前記回転盤上で滑る回転速度で該回転盤が回転してもよい。
【発明の効果】
【０００７】
この発明によれば、複数枚の紙葉類からなる束又は複数枚の紙葉類からなる束に帯封したものを複数重ねた大束の帯封終了後、送り機構部が帯封紙の先端を戻すと同時に、ロールを巻き戻し方向に回転させることにより、帯封紙がロールから送り機構部までピンと張った状態が維持されるので、帯封紙が弛んだ状態でいるためのスペースや帯封紙が捩れないようにするためのガイド部等が不要になり、紙葉類帯封装置をコンパクトにすることができる。
【図面の簡単な説明】
【０００８】
【図１】この発明の実施の形態に係る紙葉類帯封装置の斜視図である。
【図２】この実施の形態に係る紙葉類帯封装置の送り機構部周辺の側面図である。
【発明を実施するための形態】
【０００９】
以下、この発明の実施の形態を添付図面に基づいて説明する。
この発明の実施の形態に係る紙葉類帯封装置の斜視図を図１に示す。紙葉類帯封装置１は、紙葉類である紙幣を複数枚重ねて構成された札束に帯封紙を巻く装置である。尚、紙葉類としての紙幣は単なる一例に過ぎず、紙葉類帯封装置１は、任意の種類の紙葉類の束に帯封紙を巻くことができる。
【００１０】
紙葉類帯封装置１は、帯封紙２が巻かれて形成されたロール３を載置しながら回転可能な回転盤４と、帯封紙２の先端を送り出す送り機構部５と、札束に帯封紙を巻く帯封部６とを備えている。回転盤４の中心部分には、円柱状の芯部材１１が設けられており、芯部材１１がロール３の中心部の穴に挿入されることにより、ロール３が回転盤４上において回転盤４の半径方向には移動しないようになっている。
【００１１】
帯封紙２は、回転盤４に対して垂直な状態で、ロール３からターンローラ１２まで延びた後、ターンローラ１２によって約９０°向きを変えられて送り機構部５まで延びて、弛まないように張られている。送り機構部５は、帯封紙２の延びる方向を約９０°変えると共に帯封紙２を回転盤４に対して水平な状態になるように変えるターンローラ１３と、帯封紙２が送られる方向に帯封紙２を案内するテープガイド１４及び１５と、テープガイド１４及び１５のそれぞれに対して回動可能に設けられた回動部材１６及び１７と、回動部材１７に設けられたテープピンチローラ１８と、テープ駆動ローラ１９（図２参照）とを備えている。紙葉類帯封装置１は、回動部材１７を矢印Ｂの方向に回動させた後、回動部材１６を矢印Ａの方向に回動させて、回動部材１７に設けられた係合凹部１７ａに、回動部材１６に設けられた係合軸１６ａを係合させることにより回動部材１６及び１７を組み合わせた状態（図２参照）で使用される。
【００１２】
図２に示されるように、テープガイド１４及び１５間に、テープ駆動ローラ１９が設けられている。回動部材１６及び１７が組み合わされた状態では、回動部材１７に設けられたテープピンチローラ１８は、テープ駆動ローラ１９に近接するように位置する。帯封紙２は、テープピンチローラ１８とテープ駆動ローラ１９との間を延びると共にテープピンチローラ１８及びテープ駆動ローラ１９の両方に接し、テープピンチローラ１８及びテープ駆動ローラ１９が回転することにより、テープガイド１４及び１５に沿って移動するようになっている。テープピンチローラ１８と、テープ駆動ローラ１９と、回転盤４（図１参照）とはそれぞれ、図示しない制御装置に電気的に接続され、制御装置によって駆動されるようになっている。
【００１３】
次に、この実施の形態に係る紙葉類帯封装置の動作を、図１及び２に基づいて説明する。
１００枚の紙幣からなる図示しない札束を帯封部６に置き、図示しないスイッチ等を操作すると、図示しない制御装置がテープピンチローラ１８及びテープ駆動ローラ１９をそれぞれ矢印Ｃ１及びＣ２方向に回転させることにより、帯封紙２が帯封部６に送り出され、帯封部６において札束に帯封紙２が巻かれる。この際、ロール３は、回転盤４上で芯部材１１を中心にして矢印Ｅ１の方向に回転することにより、巻かれている帯封紙２を送り出す。テープピンチローラ１８及びテープ駆動ローラ１９それぞれの回転により、帯封紙２がロール３から引っ張られるようにして送り出されるので、帯封紙２は、ロール３からターンローラ１２を介して送り機構部５まで、ピンと張った状態が維持される。帯封紙２が札束に巻かれた後、図示しないカッター等により、帯封紙２が適当な位置で切断され、帯封された札束を帯封部６から取り出すことが可能になる。
【００１４】
帯封部６と送り機構部５との間には、ある程度の間隔があるので、カッター等により帯封紙２が切断されると、送り機構部５から帯封部６にかけて、帯封紙２が無駄に延びた状態となる。この状態では、次の札束を帯封しにくくなるので、帯封紙２を切断したら、制御装置は、テープピンチローラ１８及びテープ駆動ローラ１９をそれぞれ矢印Ｄ１及びＤ２方向に回転させることにより、帯封紙２の先端を送り機構部５まで戻す。
【００１５】
しかしながら、テープピンチローラ１８及びテープ駆動ローラ１９をそれぞれ矢印Ｄ１及びＤ２方向に回転させるだけでは、送り機構部５からロール３までの間で帯封紙２が弛んでしまうので、制御装置は、テープピンチローラ１８及びテープ駆動ローラ１９をそれぞれ矢印Ｄ１及びＤ２方向に回転させるのと同時に、回転盤４を矢印Ｆの方向に回転させる。回転盤４が矢印Ｆの方向に回転することにより、回転盤４とロール３との間の摩擦力によってロール３が矢印Ｅ２の方向に回転し、帯封紙２がロール３に巻き戻される。
【００１６】
ここで、ロール３に弛みなく帯封紙２を巻き戻すためには、ロール３を適切な回転速度で回転させる必要がある。そのような適切な回転速度は、ロール３の直径に応じて変わるものである。すなわち、ロール３の直径が大きい場合には、回転速度は比較的小さくて済むが、ロール３の直径が小さい場合には、回転速度を大きくしなければ、帯封紙２は弛んだ状態でロール３に巻き戻されてしまう。しかしながら、ロール３が回転盤４に対して滑る程度の大きい回転速度で瞬間的に回転盤４を回転させると、ロール３は、その直径に基づいた最高回転速度で回転するようになるので、ロール３の直径によらずに、帯封紙２は弛まずにロール３に巻き戻されるようになる。
【００１７】
このように、複数枚の紙幣からなる札束の帯封終了後、送り機構部５が帯封紙２の先端を戻すと同時に、ロール３を巻き戻し方向（矢印Ｅ２の方向）に回転させることにより、帯封紙２がロール３から送り機構部５までピンと張った状態が維持されるので、帯封紙２が弛んだ状態でいるためのスペースや帯封紙が捩れないようにするためのガイド部等が不要になり、紙葉類帯封装置１をコンパクトにすることができる。
また、ロール３が回転盤４上で滑る回転速度で回転盤４が回転することにより、ロール３は、その直径に基づいた最高回転速度で回転するようになるので、ロール３の直径によらずに、帯封紙２を弛ませずにロール３に巻き戻すことができる。
【００１８】
この実施の形態では、ロール３が回転盤４上で滑る回転速度で回転盤４を回転させていたが、この形態に限定するものではない。ロール３の直径を測定するセンサを設け、このセンサの測定値に基づいて、回転盤４の回転速度を制御するようにしてもよい。
また、この実施の形態では、複数枚の紙幣からなる札束に帯封する装置を例にして説明しているが、この形態に限定するものではない。帯封した札束を複数重ねた大束に帯封する装置であってもよい。
【符号の説明】
【００１９】
１  紙葉類帯封装置、２  帯封紙、３  ロール、４  回転盤、５  送り機構部。
【図１】
2010247865.tif 000003
【図２】
2010247865.tif 000004